(57)【要約】      （修正有）【課題】使用者側では壁掛け用プランターを掛け吊りした壁や柵などの前側の有効利用スペースの縮小が抑えら、かつ、不使用時の収納スペースを縮小でき、販売者側では陳列スペースおよび在庫管理スペースなどの縮小が可能な壁掛け用プランターを提供する。【解決手段】壁掛け用プランター１は、縦長の樹脂製シートからなるプランター本体部２の前面に、植栽および観賞用植物を保持する方形の樹脂製シートからなる３つのポケット３を熱融着により設けてある。プランター本体部２は前後の樹脂シート単体２０を重ね合わせた二重構造のもので、各シート単体２０の間に４つのポケット３の周囲を取り囲むエンドレスな額縁状の密閉空間４が形成され、該密閉空間４に呼気を送り込んで額縁状のリブに変形させるための給排気口５を設けてある。【選択図】図１
0003181548.tif 000002
【実用新案登録請求の範囲】
【請求項１】
シート製のプランター本体部の前面に、植栽および観賞用植物を植栽および観賞可能に保持するシート製の１または複数のポケットを設けてなることを特徴とする壁掛け用プランター。
【請求項２】
請求項１に記載の壁掛け用プランターにおいて
前記プランター本体部は、熱融着可能な樹脂製シートからなる前後のシート単体を重ね合わせた二重構造からなり、各シート単体の間に前記１または複数のポケットの周囲を取り囲むエンドレスな額縁状の密閉空間が形成されているとともに、この密閉空間に通じる弁開操作が可能な逆止弁を備えた給排気口が設けられている壁掛け用プランター。
【請求項３】
請求項２に記載の壁掛け用プランターにおいて
前記１または複数のポケットは、方形前面部と、該前面部の左右両側から前後にのび、かつ、前面部の左右両端部の後ろ側に重なる部分を有して襞状に折曲した前後方向の拡縮が可能な一対の側壁部とを備えた熱融着可能な樹脂製シートからなり、前面部の下端縁部と各側壁部の下端縁部とを一体にプランター本体部の前面に熱融着して各側壁部下端縁部の前後方向の拡縮を不能にした底部が形成され、各側壁部の後端縁部をプランター本体部の前面に熱融着して前面部の上縁と各側壁部の上縁とで上端開口部を形成しているとともに、前面部の左右両端部の上端縁部と各側壁部の上端縁部とを一体結合して、各側壁部の上端部の前後方向の拡縮を抑制するように構成してなる壁掛け用プランター。
【考案の詳細な説明】
【技術分野】
【０００１】
本考案は壁掛け用プランターに係り、より詳しくは、使用者側では壁掛け用プランターを掛け吊りした壁や柵などの前側の有効利用スペースの縮小が抑えられるとともに、不使用時の収納スペースを縮小でき、販売者側では陳列スペースおよび在庫管理スペースなどの縮小が可能な壁掛け用プランターに関する。
【背景技術】
【０００２】
従来の壁掛け用プランターとして、たとえば、特許文献１に記載の壁掛け用プランターが提供されている。この壁掛け用プランターを図９，図１０に示す。
【０００３】
図９，図１０において、壁掛け用プランター５０は、一体成形された樹脂製のもので、底面板部５１、前面板部５２、両側面板部５３，５３および背面板部５４を備えた深底の長方形容器からなり、背面板部５４には２つの壁掛け用穴５５，５５が設けられている。
【０００４】
壁掛け用プランター５０は、図示していない壁や柵などに突設した２つのハンガー（図示省略）を壁掛け用穴５５，５５に挿通することにより、壁や柵の前面に鉛直姿勢で掛け吊りされ、底部にスノコ（図示省略）が装着された状態で、土が入れられ、花が植えられる。
【先行技術文献】
【特許文献】
【０００５】
【特許文献１】実用新案登録第３０５９１８７号公報
【考案の概要】
【考案が解決しようとする課題】
【０００６】
前記特許文献１に記載されている壁掛け用プランター５０は、型崩れしない硬質樹脂により一体成形された前後方向の寸法Ｌ（図１０参照）および幅方向の寸法Ｗ（図９参照）が大きい嵩の高いものであるから、たとえば、マンションのベランダのようなスペースが比較的小さい場所の壁や柵などに掛け吊りされると、ベランダにおける壁や柵などの前側の有効利用スペースが縮小され、ベランダでのスムーズな人の移動が妨げられるばかりか、不使用時には大きい収納スペースが必要となる一方、壁掛け用プランター５０販売時の陳列や在庫管理にも大きいスペースが必要になるなどの問題点がある。
【０００７】
本考案は、このような実情に鑑みて提案されたものであって、使用者側では壁掛け用プランターを掛け吊りした壁や柵などの前側の有効利用スペースの縮小が抑えられるとともに、不使用時の収納スペースを縮小でき、販売者側では陳列スペースおよび在庫管理スペースなどの縮小が可能な壁掛け用プランターの提供を目的とするものである。
【課題を解決するための手段】
【０００８】
前記目的を達成するために、本考案に係る壁掛け用プランターは、シート製のプランター本体部の前面に、植栽および観賞用植物を植栽および観賞可能に保持するシート製の１または複数のポケットを設けてなることを特徴としている。
【０００９】
このように構成されている壁掛け用プランターによれば、季節毎の花や草木などの植栽および観賞用植物の根元を、樹脂製ネットからなる巾着袋や樹脂製のポットなどに収容されている用土やスポンジなどの発泡樹脂で包んだ状態で、１または複数のシート製のポケットに挿入して、プランター本体部を壁や柵の前面に適宜掛け吊りすれば、前記植物を植栽および観賞可能に保持した状態を得ることができる。
【００１０】
一方、壁掛け用プランター使用時における前後方向の寸法は、前記樹脂ネット製の巾着袋や樹脂製のポットなどの直径程度の小さい値に収まる。このため、壁掛け用プランターを掛け吊りした壁や柵などの前側の有効利用スペースの縮小が抑えられて、壁や柵などの前側でのスムーズな人の移動が許容される。
【００１１】
他方、壁掛け用プランターは、シート製のプランター本体部の前面にシート製の１または複数のポケットを設けて、前後方向の寸法を小さく抑えた肉薄のものであるから、使用者側では不使用時の収納スペースを縮小でき、販売者側では陳列スペースおよび在庫管理スペースなどの縮小が可能となる。つまり、１〜３つつのポケットを設けた壁掛け用プランターであれば、これを積み重ねることで、収納スペース、陳列スペースおよび在庫管理スペースなどを縮小でき、４つ以上のポケットを設けた壁掛け用プランターであれば、適宜折り畳んで積み重ねることで、収納スペース、陳列スペースおよび在庫管理スペースなどを縮小できる。
【００１２】
また、本考案に係る壁掛け用プランターのプランター本体部は、熱融着可能な樹脂製シートからなる前後のシート単体を重ね合わせた二重構造からなり、各シート単体の間に前記１または複数のポケットの周囲を取り囲むエンドレスな額縁状の密閉空間が形成されているとともに、この密閉空間に通じる弁開操作可能な常閉逆止弁を備えた給排気口を設けたものである。
【００１３】
これによれば、給排気口から呼気を額縁状の密閉空間に送り込むと、該密閉空間は膨らんで１または複数のポケットの周囲を取り囲む額縁状のリブに変形する。このリブにより、プランター本体部の曲げ剛性や捩じれ剛性が高められる。これにより、プランター本体部が壁や柵の前面に掛け吊りされた場合の姿勢が安定する。このため、植栽および観賞用植物を長時間安定して１または複数のポケットにより植栽および観賞可能に保持することが可能となる。なお、１または複数のポケットに保持されている植栽および観賞用植物を取り出した後に、給排気口に備わっている逆止弁を開弁操作して、額縁状の密閉空間内の空気を排出することで、壁掛け用プランターを原状に復元できる。
【００１４】
さらに、本考案に係る壁掛け用プランターの前記１または複数のポケットは、方形前面部と、該前面部の左右両側から前後にのび、かつ、前面部の左右両端部の後ろ側に重なる部分を有して襞状に折曲した前後方向の拡縮が可能な一対の側壁部とを備えた熱融着可能な樹脂製シートからなり、前面部の下端縁部と各側壁部の下端縁部とを一体にプランター本体部の前面に熱融着して各側壁部下端縁部の前後方向の拡縮を不能にした底部が形成され、各側壁部の後端縁部をプランター本体部の前面に熱融着して前面部の上縁と各側壁部の上縁とで上端開口部を形成しているとともに、前面部の左右両端部の上端縁部と各側壁部の上端縁部とを一体結合して、各側壁部の上端部の前後方向の拡縮を抑制するように構成したものである。
【００１５】
これによると、壁掛け用プランターの不使用時では、プランター本体部の前面に１または複数のポケットにおける方形前面部が略密着した最小の前後方向の寸法を有する薄い状態になる。このため、前記収納スペース、陳列スペースおよび在庫管理スペースの縮小が可能となる。
一方、１または複数のポケットそれぞれの底部は前後方向の拡縮を不能に形成され、各ポケットそれぞれの上端開口部は、方形前面部の左右両端部の上端縁部と襞状に折曲した各側壁部の上端縁部とを一体結合することで、各側壁部の上端部の前後方向の拡縮が抑制されているので、各ポケットとプランター本体部との協働によって、各ポケットの内部は上端開口部から底部にかけて徐々に大きく膨らみ、底部の近傍で最大に膨らむ変形が可能となる。このため、根元が用土やスポンジなどの発泡樹脂で包まれて樹脂ネット製の巾着袋に収容されている植栽および観賞用植物を各ポケットに挿入すれば、巾着袋に対する各ポケットの方形前面部とプランター本体部のフィット性が向上して、各ポケット内における植栽および観賞用植物の傾倒を防止して、安定保持を図ることができる。
【考案の効果】
【００１６】
本考案の壁掛け用プランターは、使用者側では壁掛け用プランターを掛け吊りした壁や柵などの前側の有効利用スペースの縮小が抑えられるとともに、不使用時の収納スペースを縮小でき、販売者側では陳列スペースおよび在庫管理スペースなどの縮小が可能である。
【図面の簡単な説明】
【００１７】
【図１】本考案に係る壁掛け用プランターの一実施形態を示す正面図である。
【図２】図１の右側面図である。
【図３】図１の平面図である。
【図４】プランター本体部およびポケットを一部切欠して拡大して示す横断平面図である。
【図５】壁掛け用プランター使用時の状態を示す図４に相当する横断平面図である。
【図６】植栽および観賞用植物をポケットに挿入した状態の一部を例示した拡大正面図である。
【図７】図６のＶＩＩーＶＩＩ線に沿って示す縦断側面である。
【図８】植栽および観賞用植物をポケットに挿入した状態の一部の他の例を示す図７に相当する縦断側面である。
【図９】従来例の正面図である。
【図１０】図９の右側面図である。
【考案を実施するための形態】
【実施例】
【００１８】
図１は本考案に係る壁掛け用プランターの一実施形態を示す正面図、図２は図１の右側面図、図３は図１の平面図、図４はプランター本体部およびポケットを一部切欠して拡大して示す横断平面図である。
【００１９】
図１〜図４において、壁掛け用プランター１は、シート製で縦長長方形のプランター本体部２の前面に、後述する植栽および観賞用植物を植栽および観賞可能に保持するためのシート製の３つのポケット３を、上下方向（図１の矢印Ｈ）に所定の間隔を隔てて縦列して設けたものであり、プランター本体部２および各ポケット３を構成しているシートとしては、熱融着可能なポリ塩化ビニル（ＰＶＣ），ポリエチレン（ＰＥ），ポリプロピレン（ＰＰ），ポリアミドなどの樹脂製シートが適用される。
【００２０】
プランター本体部２は、前側の樹脂シート単体２０と、後側の樹脂シート単体２１とを重ね合わせて、４つの辺２ａをエンドレス状に熱融着２ｂして前側の樹脂シート単体２０と後側の樹脂シート単体２１とを一体に結合した二重構造からなる。そして、熱融着２ｂされた４つの辺２ａに囲まれた該４つの辺２ａに相似する長方形の４つの辺２ｃをエンドレス状に熱融着２ｄすることによって、３つのポケット３の周囲を取り囲む長方形でエンドレスな額縁状の密閉空間４が形成されており、この密閉空間４の下辺４ａに、該密閉空間４に通じる弁開操作可能な常閉逆止弁（図示省略）を備えた給排気口５を設けてある。
【００２１】
各ポケット３は、長方形前面部３０と、該前面部３０の左右両側に連設された左右一対の側壁部３１，３１とを備えている。各側壁部３１，３１は、投影平面形状が襞状に折曲されているとともに、上下方向（図１の矢印Ｈ）の寸法が前面部３０と等しい前片３１ａと後片３１ｂとを有しており、前片３１ａは前面部３０の左右両端部の後ろ側に重なり、後片３１ｂは前片３１ａの後ろ側に重なるとともに、前面部３０の左右両側よりも少し幅方向外側にのびている。したがって、各側壁部３１，３１は、前後方向（図４の矢印Ｔ）の拡縮が可能である。
【００２２】
各ポケット３は、前面部３０の下端縁部と、各側壁部３１，３１下端縁部とを前後で重ね合わせた状態、つまり、前面部３０の下端縁部の後側で各側壁部３１，３１それぞれの前片３１ａおよび後片３１ｂの下端縁部を重ね合わせた状態で、これらを一体にプランター本体部２の前面、詳しくは、前側の樹脂シート単体２０の前面に熱融着６して各側壁部３１，３１下端縁部の前後方向の拡縮を不能にした底部７が形成されている。
【００２３】
各側壁部３１，３１の後端縁部、詳しくは、後片３１ｂの後端縁部をプランター本体部２の前面、詳しくは、前側の樹脂シート単体２０の前面に熱融着８して、前面部３０の上縁と各側壁部３１，３１の上縁とで上端開口部９を形成している。本実施形態において、熱融着８は、前記４つの辺２ｃをエンドレス状に熱融着２ｄする工程時に同時になされる。また、前面部３０の左右両端部の上端縁部と各側壁部３１，３１の前片３１ａおよび後片３１ｂの上端縁部とを、たとえば、スポット熱融着１０などで一体結合して、各側壁部３１，３１の上端部の前後方向の拡縮を抑制するように構成してある。つまり、各側壁部３１，３１の上端部の前後方向の拡縮は、熱融着８を揺動中心とする後片３１ｂの前後方向の揺動によるプランター本体部２の前側の樹脂シート単体２０の前面に対する接離動作のみに委ねるように構成してある。なお、図１に示すように、プランター本体部２の上下両端部のそれぞれに、一対の掛止孔１１を設けてある。
【００２４】
前記構成の壁掛け用プランター１によれば、図６，図７に示す季節毎の花や草木などの植栽および観賞用植物Ｆ（ただし、図６，図７では、植物Ｆの茎のみを示している）の根元を、用土（図示省略）やスポンジ（図示省略）あるいは発泡樹脂（図示省略）などで包んだ状態で、樹脂製ネットからなる巾着袋１２に収容し、その袋口を絞り紐１２ａで適宜結んで各ポケット３に挿入し、図１に示すプランター本体部２の上端部に設けられている一対の掛止孔１１を、図示していない壁や柵に突設した一対の掛止フック（図示省略）に掛止すれば、壁掛け用プランター１が前記壁や柵の前面に掛け吊りされて、植物Ｆを植栽および観賞可能に保持した状態を得ることができる。なお、前記壁掛け用プランター１の下端部に設けた一対の掛止孔１１のそれぞれに連結フックを掛止し、各連結フックを別途用意した壁掛け用プランター１の上端部に設けた一対の掛止孔１１に掛止すれば、２連の壁掛け用プランター１を掛け吊りして植物Ｆを植栽および観賞可能に保持した状態が得られる。
【００２５】
壁掛け用プランター１の使用時における前後方向（図４の矢印Ｔ）の寸法は、図７に示す巾着袋１２の直径程度の小さい値ｔに収まる。このため、壁掛け用プランター１を掛け吊りした壁や柵などの前側の有効利用スペースの縮小が抑えられて、壁や柵などの前側でのスムーズな人の移動が許容されることになる。
【００２６】
壁掛け用プランター１は、樹脂製シートからなるプランター本体部２の前面に樹脂製シートからなる３つのポケット３を設けて、前後方向の寸法を小さく抑えた肉薄のものであるから、使用者側では不使用時の収納スペースを縮小でき、販売者側では陳列スペースおよび在庫管理スペースなどの縮小が可能となる。
【００２７】
一方、給排気口５から呼気を額縁状の密閉空間４に送り込むと、該密閉空間４は図５のように膨らんで、３つのポケット３（図１参照）の周囲を取り囲む額縁状のリブ４Ａに変形する。額縁状の密閉空間４に送り込まれた呼気の漏洩は、給排気口５（図１〜図３参照）に備わっている常閉逆止弁（図示省略）の逆流防止作用により阻止され、密閉空間４が変形した額縁状のリブ４Ａは保持される。このリブ４Ａにより、プランター本体部２の曲げ剛性や捩じれ剛性が高められる。これにより、プランター本体部２が壁や柵の前面に掛け吊りされた場合の姿勢が安定する。このため、植栽および観賞用植物Ｆを長時間安定して３つのポケット３により植栽および観賞可能に保持することが可能となる。なお、３つのポケット３に保持されている植栽および観賞用植物Ｆを取り出した後に、給排気口５にピンを押し込んで常閉逆止弁を開弁操作するとともに、額縁状のリブ４Ａを適宜押圧して額縁状の密閉空間４内の空気を排出することで、壁掛け用プランター１を肉薄の原形に復元することができる。
【００２８】
前述のように、３つのポケット３それぞれの底部７は前後方向の拡縮を不能に形成され、各側壁部３１，３１の上端部の前後方向の拡縮が抑制されているので、３つのポケット３とプランター本体部２との協働変形により、各ポケット３の内部は上端開口部９から底部７にかけて徐々に大きく膨らみ、底部７の近傍で最大に膨らむ形態が得られる。このため、根元が用土やスポンジなどの発泡樹脂で包まれて樹脂ネット製の巾着袋１２に収容されている植栽および観賞用植物Ｆを各ポケット３に挿入すれば、図７に示すように、巾着袋１２に対する各ポケット３の方形前面部３０とプランター本体部２における前側の樹脂シート単体２０のフィット性が向上して、各ポケット３内における植栽および観賞用植物Ｆの傾倒を防止して、安定保持を図ることができる。
【００２９】
前記実施形態では、３つのポケット３を設けた構造で説明しているが、ポケット３の数は任意であり、複数のポケット３の配設パターンも任意に設定できる。また、図６，図７に示す実施形態では、植物Ｆの根元を、用土やスポンジあるいは発泡樹脂などで包んだ状態で、樹脂製ネットからなる巾着袋１２に収容し、その袋口を絞り紐１２ａで適宜結んでポケット３に挿入しているが、図８に示すように、植物Ｆ（ただし、図８では、植物Ｆの茎のみを示している）の根元を、用土やスポンジあるいは発泡樹脂などで包んだ状態で、樹脂製ポット１３に収容してポケット３に挿入してもよい。さらに、巾着袋１２や樹脂製ポット１３の使用を省略し、各ポケット３内に投入した用土やスポンジあるいは発泡樹脂などに直接植物Ｆの根元を差し込んで植え立ててもよい。
【００３０】
前記実施形態のように、３つのポケット３を設けた壁掛け用プランター１や、１または２つのポケット３を設けた壁掛け用プランター１であれば、使用者側での不使用時や販売者側での陳列や在庫管理などに際して、プランター本体部２を折り畳むことなく積み重ねることで、使用者側での収納スペース、販売者側での陳列スペースおよび在庫管理スペースなどを縮小することができ、４つ以上のポケット３を設けた壁掛け用プランター１であれば、使用者側での不使用時や販売者側での陳列や在庫管理などに際して、プランター本体部２を適宜折り畳んで積み重ねることで、使用者側での収納スペース、販売者側での陳列スペースおよび在庫管理スペースなどを縮小することができる。
【産業上の利用可能性】
【００３１】
本考案の壁掛け用プランターは、季節毎の花や草木などの植栽および観賞用植物を、建物の壁や柵などに掛け吊りした状態で植栽および観賞可能に保持するプランターとして有用である。
【符号の説明】
【００３２】
１  壁掛け用プランター
２  プランター本体部
３  ポケット
４  額縁状の密閉空間
５  吸排気口
６  熱融着（底部７を形成するための熱融着）
７  底部
８  熱融着（上端開口部９を形成するための熱融着）
９  上端開口部
１０  スポット熱融着（一体結合）
２０  前側のシート単体
２１  後側のシート単体
３０  長方形前面部（方形前面部）
３１  一対の側壁部
Ｆ  植栽および観賞用植物
【図１】
0003181548.tif 000003
【図２】
0003181548.tif 000004
【図３】
0003181548.tif 000005
【図４】
0003181548.tif 000006
【図５】
0003181548.tif 000007
【図６】
0003181548.tif 000008
【図７】
0003181548.tif 000009
【図８】
0003181548.tif 000010
【図９】
0003181548.tif 000011
【図１０】
0003181548.tif 000012